(57)【要約】【課題】  電極端部のディスクリネーションの発生を防止する。【解決手段】  相互に対向する一対の基板１０，２０の間に液晶層３０を挟持してなる液晶表示装置において、基板本体１０Ａと電極１２との間に電極形状調整層１１を配置し、電極１２に対して、その基板本体１０Ａから電極表面までの高さが当該電極１２の中央部からそのラビング入射側（紙面左側）の端部１２ａに向かって徐々に低くなるような傾斜面を形成する。【選択図】    図１
2005172929.tif 000002
【特許請求の範囲】
【請求項１】
一対の基板に液晶を挟持してなり、一方の前記基板に前記液晶に電圧を印加するための電極を備える液晶表示装置であって、
前記電極は、一方の端部にテーパが設けられてなり、
前記電極が設けられてなる電極領域内において、前記液晶の液晶分子は、前記一方の端部側が下がってプレチルトしてなることを特徴とする液晶表示装置。
【請求項２】
他方の前記基板は、前記液晶に電圧を印加するための第２の電極を備え、
前記第２の電極は、一方の端部にテーパが設けられてなり、
前記第２の電極が設けられてなる第２の電極領域内において、前記液晶の液晶分子は、前記一方の端部側が下がってプレチルトしてなることを特徴とする液晶表示装置。
【請求項３】
前記電極に対応して設けられてなるスイッチング素子を備えることを特徴とする請求項１又は２に記載の液晶表示装置。
【請求項４】
相互に対向する第１の基板と第２の基板との間に液晶層を挟持してなり、
上記第１の基板には前記液晶層に電圧を印加するための複数の電極が設けられるとともに、上記第１の基板の内面側には液晶を所定の方向に配向させるための配向処理が施されており、この液晶の配向方向に沿う断面において、各電極には、その電極の上記配向方向と反対側の第１の端部に、その第１の基板から電極表面までの高さが徐々に低くなるような傾斜面が形成されたことを特徴とする、液晶表示装置。
【請求項５】
上記配向方向に沿う断面において、上記各電極には、その電極の上記配向方向側の第２の端部に、その第１の基板から電極表面までの高さが徐々に高くなるような傾斜面が形成されたことを特徴とする、請求項４記載の液晶表示装置。
【請求項６】
上記第１の基板と上記電極との間に、自身の厚みが上記配向方向に沿って変化するようなテーパ状の電極形状調整層が設けられており、上記電極端部の傾斜面はこの電極形状調整層の膜厚変化によって形成されたことを特徴とする、請求項４又は５記載の液晶表示装置。
【請求項７】
上記第１の基板と上記各電極との間に異なる色の複数の着色層が設けられるとともに、隣接する着色層はその端部が一部重なる状態で配置され、上記各電極は、平面視したときにそれぞれ対応する着色層の上にその第２の端部が着色層の重なり部分に一部掛かった状態で配置されており、各電極の第２の端部の傾斜面はこの着色層同士の重なり部分の段差により形成されたことを特徴とする、請求項５記載の液晶表示装置。
【請求項８】
対応する着色層と電極との間には、それぞれ着色層同士の重なりによる凹凸形状を反映した傾斜面を有する電極形状調整層が設けられ、各電極形状調整層はその配向方向側の第２の端部が上記着色層の重なり部分に一部掛かった状態で配置されており、各電極の第２の端部の傾斜面は、上記着色層同士の重なり部分に配置された上記電極形状調整層の第２の端部の傾斜面によって形成されたことを特徴とする、請求項７記載の液晶表示装置。
【請求項９】
上記電極形状調整層の上記配向方向とは反対側の第１の端部に、該電極形状調整層の中央部から該電極形状調整層の第１の端部に向けてその膜厚が薄くなるような傾斜面が設けられており、各電極の第１の端部の傾斜面は、上記電極形状調整層の第１の端部の傾斜面によって形成されたことを特徴とする、請求項８記載の液晶表示装置。
【請求項１０】
各ドット間の領域に遮光層が設けられ、各電極はその第２の端部が上記遮光層に一部掛かった状態で配置されており、上記電極の第２の端部の傾斜面はこの遮光層の膜厚に応じた段差により形成されたことを特徴とする、請求項４又は５記載の液晶表示装置。
【請求項１１】
上記第１の基板と各電極との間には、それぞれ上記遮光層による凹凸形状を反映した傾斜面を有する電極形状調整層が設けられ、各電極形状調整層はその配向方向側の第２の端部が上記遮光層に一部掛かった状態で配置されており、各電極の第２の端部の傾斜面は、上記遮光層の上に配置された上記電極形状調整層の第２の端部の傾斜面によって形成されたことを特徴とする、請求項１０記載の液晶表示装置。
【請求項１２】
上記電極形状調整層の上記配向方向と反対側の第１の端部に、該電極形状調整層の中央部から該電極形状調整層の第１の端部に向けてその膜厚が薄くなるような傾斜面が設けられており、上記電極の第１の端部の傾斜面は、上記電極形状調整層の第１の端部の傾斜面によって形成されたことを特徴とする、請求項１１記載の液晶表示装置。
【請求項１３】
請求項１〜１２のいずれかの項に記載の液晶表示装置を備えたことを特徴とする、電子機器。
【発明の詳細な説明】
【技術分野】
【０００１】
本発明は、液晶表示装置及び電子機器に関する。
【背景技術】
【０００２】
マトリクス型の液晶表示装置では画素外周部にディスクリネーションが生じることがある。従来、このようなディスクリネーションによる表示品位の低下を抑えるために、画素外周部を遮光する等の方法が採られていた（例えば特許文献１，２参照）。
【特許文献１】特開平５−２０３９９４号公報
【特許文献２】特開平５−２４９４９４号公報
【発明の開示】
【発明が解決しようとする課題】
【０００３】
しかし、上述のように画素外周部を遮光すると、その分開口率が減るため、明るい表示が得られなくなる。
本発明はこのような事情に鑑みてなされたもので、ディスクリネーションの発生を防止できるようにした液晶表示装置、及びこの液晶表示装置を備えた電子機器を提供することを目的とする。
【課題を解決するための手段】
【０００４】
上記の課題を解決するため、本発明の液晶表示装置は、相互に対向する第１の基板と第２の基板との間に液晶層を挟持してなり、上記第１の基板には前記液晶層に電圧を印加するための複数の電極が設けられるとともに、上記第１の基板の内面側には液晶を所定の方向に配向させるための配向処理が施されており、この液晶の配向方向に沿う断面において、各電極には、その電極の上記配向方向と反対側の第１の端部に、その第１の基板から電極表面までの高さが徐々に低くなるような傾斜面が形成されたことを特徴とする。
【０００５】
基板にラビング等の配向処理を施すと、配向膜近傍の液晶の長軸方向を一方向に揃えると同時に、その液晶に対して所定のプレチルト角を付与することができる。つまり、このような配向処理により、液晶の配向姿勢を、その長軸における一方の端部（液晶分子の第２の端部）が他方の端部（液晶分子の第１の端部）よりも浮き上がった状態で斜めに保持することができる。本明細書では、液晶長軸を基板面に投影したときに、その液晶分子の第１の端部から液晶分子の第２の端部に向かう方向を液晶の配向方向と呼ぶこととする。
【０００６】
本発明は、電極端部に位置する液晶の配向姿勢、特に電界と液晶長軸とのなす角度を電極の形状によって制御するようにしたものである。
従来のように電極面が平坦に形成されたものでは、その電極端部に生じる斜め電界の作用によって、電極端部では液晶の傾倒方向が電極中央部と異なった方向となることがある。つまり、従来の構成では、電極の中央部に位置する液晶分子Ｌと電極端部に位置する液晶分子Ｌは略同様な配向状態をとるが、そこに働く電界の方向は、電極中央部で基板面に垂直な方向となるのに対して、電極端部では斜め方向となる。このため、電界と液晶長軸のなす角度が、例えば電極中央部において鋭角となり、電極端部で鈍角となる状態も生じ得る。このような状態が生じると、電極中央部と電極端部の液晶の傾倒方向（回転方向）が逆となり、これらの間でディスクリネーションが発生してしまう。
これに対して、本発明のように電極面にテーパをつけて電極端部の液晶の傾きを大きくしてやると、電界と液晶長軸とのなす角度は小さくなり、その回転方向が逆転する。この結果、電極中央部と電極の第１の端部の液晶の回転方向が同じ方向となり、ドット周縁部でのディスクリネーションの発生が防止される。
【０００７】
なお、上述の配向処理としては、以下の（１）〜（４）に示すような公知の技術を採用することができる。
（１）基板上にポリイミド等の有機配向膜を形成し、これにラビングを施す
（２）基板上に斜方蒸着膜を形成する
（３）基板上に液晶配向用の溝構造を形成する
（４）基板上に有機膜を成膜し、これに偏光紫外線等を照射する（光配向処理）
【０００８】
上述した本発明の構成では、上記配向方向に沿う断面において、上記各電極に更に、その電極の上記配向方向側の第２の端部に、その第１の基板から電極表面までの高さが徐々に高くなるような傾斜面が形成されることが好ましい。
【０００９】
従来のように電極面が平坦に形成されたものでは、電極中央部に位置する液晶分子Ｌと電極端部に位置する液晶分子Ｌは略同様な配向状態をとるが、この電極端部をより拡大して観察すると、その液晶の配向状態に乱れが生じていることがある。例えば基板表面に配向膜を形成した場合、この配向膜には下層側の電極端部の段差を反映してテーパ（傾斜面）ができることがある。このような傾斜面ができると、電極中央部と電極の第２の端部とでは、初期配向状態における液晶の傾倒方向が逆方向となり、極端な場合には、これらの間で液晶の回転方向が逆方向となる（即ち、ディスクリネーションが発生する）場合がある。
これに対して、本構成のように電極の第２の端部に上述とは逆のテーパ面を形成してやると、電極端部の液晶の長軸は基板面に対してより平行に近い状態、或いは、液晶長軸が基板に平行な位置から若干時計回りに傾いた状態となる。この結果、電極の第２の端部の液晶の回転方向は電極中央部のものと同じ方向に規制され、この電極の第２の端部側でのディスクリネーションの発生が防止される。
【００１０】
ところで、上述のように電極端部にテーパ面を形成する方法としては、以下の方法を挙げることができる。
（１）上記第１の基板と上記電極との間に、自身の厚みが上記配向方向に沿って変化するようなテーパ状の電極形状調整層を設け、上記電極端部の傾斜面をこの電極形状調整層の膜厚変化によって形成する。
（２）上記第１の基板と上記各電極との間に異なる色の複数の着色層を設け、隣接する着色層をその端部が一部重なる状態で配置する。そして、上記各電極を、平面視したときにそれぞれ対応する着色層の上にその第２の端部が着色層の重なり部分に一部掛かった状態で配置し、各電極の第２の端部の傾斜面をこの着色層同士の重なり部分の段差により形成する。
（３）表示領域を構成するドットの間の領域に遮光層を設ける。そして、各電極をその第２の端部が上記遮光層に一部掛かった状態で配置し、上記電極の第２の端部の傾斜面をこの遮光層の膜厚に応じた段差により形成する。
【００１１】
なお、上記（２）の方法では、対応する着色層と電極との間に、それぞれ上記着色層同士の重なりによる凹凸形状を反映した傾斜面を有する電極形状調整層を設け、各電極形状調整層をその配向方向側の第２の端部が上記着色層の重なり部分に一部掛かった状態で配置し、各電極の第２の端部の傾斜面を、上記着色層の重なり部分に配置された上記電極形状調整層の第２の端部の傾斜面によって形成してもよい。この場合、上記電極形状調整層の上記配向方向とは反対側の第１の端部に、該電極形状調整層の中央部から該電極形状調整層の第１の端部に向けてその膜厚が薄くなるような傾斜面を設け、各電極の第１の端部の傾斜面を、上記電極形状調整層の第１の端部の傾斜面によって形成してもよい。
【００１２】
また、上記（３）の方法では、上記第１の基板と上記電極との間に、それぞれ上記遮光層による凹凸形状を反映した傾斜面を有する電極形状調整層を設け、各電極形状調整層をその配向方向側の第２の端部が上記遮光層に一部掛かった状態で配置し、各電極の第２の端部の傾斜面を、上記遮光層の上に配置された上記電極形状調整層の第２の端部の傾斜面によって形成してもよい。この場合、上記電極形状調整層の上記配向方向と反対側の第１の端部に、該電極形状調整層の中央部から該電極形状調整層第１の端部に向けてその膜厚が薄くなるような傾斜面を設け、上記電極の第１の端部の傾斜面を、上記電極形状調整層の第１の端部の傾斜面によって形成してもよい。
【００１３】
また、本発明の液晶表示装置は、一対の基板に液晶を挟持してなり、一方の前記基板に前記液晶に電圧を印加するための電極を備える液晶表示装置であって、前記電極は、一方の端部にテーパが設けられてなり、前記電極が設けられてなる電極領域内において、前記液晶の液晶分子は、前記一方の端部側が下がってプレチルトしてなることを特徴とする。
本構成によっても、前述したのと同様の理由により、ドット周縁部でのディスクリネーションの発生を防止することができる。
【００１４】
なお、本発明は、スイッチング素子を備えないパッシブマトリクス型の液晶表示装置、及び、各電極に対応して設けられてなるスイッチング素子を備えたアクティブマトリクス型の液晶表示装置のいずれに対しても適用可能である。
【００１５】
また、本発明では、他方の基板（第２の基板）の電極（第２の電極）に対しても同様のテーパ形状を付与することができる。すなわち、本発明の構成において、他方の基板が、前記液晶に電圧を印加するための第２の電極を備え、前記第２の電極は、一方の端部にテーパが設けられてなり、前記第２の電極が設けられてなる第２の電極領域内において、前記液晶の液晶分子は、前記一方の端部側が下がってプレチルトしてなる構成を更に備えてもよい。これにより、一層のディスクリネーション抑制効果を期待することができる。
【００１６】
また、本発明の電子機器は上述の液晶表示装置を備えたことを特徴とする。これにより、ディスクリネーションのない高品質な表示が可能な電子機器を提供することができる。
【発明を実施するための最良の形態】
【００１７】
以下、図面を参照しながら本発明の実施の形態について説明する。なお、以下の全ての図面においては、図面を見やすくするため、各構成要素の膜厚や寸法の比率などは適宜異ならせてある。また、本明細書では、液晶表示装置を構成する各部材において、その液晶層側の面を「内面」といい、液晶層４０と反対側の面を「外面」という。
【００１８】
［第１実施形態］
まず、図１，図２を参照しながら、本発明をパッシブマトリクス方式の半透過反射型液晶表示装置に適用した例について説明する。図１（ａ）は本液晶表示装置の断面構造を示す模式図であり、図１（ｂ）はその平面構造を示す模式図である。
本実施形態の液晶表示装置１は、相互に対向する第１の基板１０と第２の基板２０との間に、初期配向状態が水平配向をとる液晶、即ち、誘電異方性が正の液晶材料からなる液晶層３０が挟持された構成となっている。
【００１９】
基板１０は、石英やガラス等の透光性材料からなる基板本体１０Ａの内面側に、ＩＴＯ等の透光性導電材料からなる電極（第１の電極）１２と、ポリイミド等からなる配向膜１３とを順に備え、基板２０は、石英やガラス等の透光性の基板本体２０Ａの内面側に、ＩＴＯ等の透光性導電材料からなる電極（第２の電極）２１と、ポリイミド等からなる配向膜２２とを順に備えている。図１（ｂ）に示すように、電極１２，電極２１はそれぞれＺ方向（紙面上下方向），Ｘ方向（紙面左右方向）にストライプ状に形成されており、互いに交差するように設けられたこれらの電極１２及び電極２１の交差部によってドット領域が構成されている。また、各配向膜１３，２２には液晶を所定の方向に配向させるためにラビング等の配向処理が施されている。本例では配向膜１３のラビング方向をＸ軸の正方向（紙面左側から右側に向かう方向）に対して＋３０°をなす方向（紙面右斜め下方向；実線矢印で示す）とし、配向膜２２のラビング方向をＸ軸の正方向に対して−３０°をなす方向（紙面右斜め上方向；点線矢印で示す）としている。このような配向処理により、配向膜近傍の液晶の長軸方向が一方向に揃えられると同時に、その液晶に対して所定のプレチルト角が付与される。具体的には、このような配向処理により、液晶の配向姿勢が、その長軸における一方の端部（第２の端部）が他方の端部（第１の端部）よりも浮き上がった状態で斜めに保持される。ここで、液晶長軸を基板面に投影したときに、その第１の端部から第２の端部に向かう方向を液晶の配向方向と呼ぶとすると、本例では、配向膜近傍の液晶の配向方向はその配向膜のラビング方向と同じ方向に規定される。
【００２０】
本実施形態において、基板本体１０Ａと各電極１２との間には、それぞれ自身の膜厚変化によりこの上に形成される電極１２に特定の形状を付与するための電極形状調整層１１が設けられている。この電極形状調整層１１は各電極１２の形成領域に対応してそれぞれストライプ状に設けられており、各電極形状調整層１１には、当該電極形状調整層１１の中央部から、ラビングの入射側である左側の端部（第１の端部）１１ａに向けて、その層厚が薄くなるようなテーパ面（傾斜面）が形成されている。この電極形状調整層１１は、例えば基板１０Ａ上にアクリル等の樹脂膜をストライプ状にパターン形成した後、その左側の端部（第１の端部）を熱処理によりだらすことで形成することができる。また、各電極形状調整層１１では、その左側の端部（第１の端部）１１ａは電極１２の左側の端部（第１の端部）１２ａよりも内側に配置されており、ラビングの出射側である右側の端部（第２の端部）１１ｂは電極１２の右側の端部（第２の端部）１２ｂに対して若干外側に配置されている。すなわち、電極１２はその第１の端部１２ａが、電極形状調整層１１の第１の端部１１ａ側に形成された傾斜面に掛かる形で配置されている。これにより、電極１２の表面には、下層側の電極形状調整層１１の凹凸形状を反映して、その第１の端部１２ａに、基板１０Ａから電極表面までの高さが徐々に低くなる（基板面に近づく）ような傾斜面が形成されている。
【００２１】
次に、図２を参照しながら、本液晶表示装置１の作用について説明する。
まず、本例との対比のために、電極面が平坦に形成された例について説明する（図２（ａ））。この構成では、電極の中央部に位置する液晶分子Ｌと電極端部に位置する液晶分子Ｌは略同様な配向状態をとる。すなわち、液晶分子Ｌの配向方向に沿う断面において、液晶分子Ｌは右側の端部（液晶の第２の端部）が左側の端部（液晶の第１の端部）に比べて若干浮き上がった状態となっている。このような構成では、電極中央部において電界と液晶長軸とのなす角αは鋭角（即ち、液晶長軸がその電界に直交する位置から若干時計回りに傾いた状態）となるため、液晶分子Ｌは電圧印加によって時計回りに回転することとなる。一方、電極の第１の端部（紙面左側の端部）では、電極面に対して斜め方向の電界が生じるため、電界と液晶長軸のなす角βは鈍角（即ち、液晶長軸がその電界に直交する位置から若干反時計回りに傾いた状態）となる。この結果、液晶分子Ｌは電圧印加によって反時計回りに回転することとなり、電極中央部と電極端部との間でディスクリネーションが発生してしまう。
これに対して本例（図２（ｂ））のように、電極の第１の端部に、右側から左側に向けて基板から電極表面までの高さが低くなるようなテーパ面を形成すると、このテーパ面に位置する液晶分子Ｌは、図２（ａ）のものに比べて、その長軸が基板面に対してより垂直に近い状態（即ち、電界と液晶長軸とのなす角βが鋭角）となり、電極の第１の端部の液晶分子Ｌは時計回りに回転されやすくなる。
【００２２】
このように本実施形態では、電極中央部と電極の第１の端部の液晶の回転方向が同じ方向となるので、ドット周縁部でのディスクリネーションの発生が抑えられ、明るい表示が可能となる。
なお、本実施形態では電極形状調整層１１の第１の端部１１ａのみを熱処理して形状をだらしたが、この代わりに、図３に示すように電極形状調整層１１全体を熱処理し、第１の端部１１ａ及び第２の端部１１ｂの双方をだらしてもよい。この場合、電極１２は、電極形状調整層１１の中央の平坦部から第１の端部１１ａにかけて設けられるようにする。この構造は、上記実施形態のように第１の端部１１ａのみを選択的にだらす構造よりも製造が容易である。
【００２３】
［第２実施形態］
次に、図４，図５を参照しながら、本発明の第２の実施の形態について説明する。図４（ａ）は、Ｒ（赤），Ｇ（緑），Ｂ（青）の３つのドットからなる１画素の断面構造を示す模式図であり、図４（ｂ）はその平面構造を示す模式図である。なお、本実施形態において、上記第１実施形態と同様の部材又は部位については同じ符号を付し、詳細な説明は省略する。
【００２４】
本実施形態は、上記第１実施形態の構成において第１の基板１０側にカラーフィルタ１５を設けたものである。すなわち、本実施形態の液晶表示装置２において、基板１０は、石英やガラス等の透光性材料からなる基板本体１０Ａの内面側に、異なる色の複数の着色層を有するカラーフィルタ１５と、アクリル等の樹脂膜からなる電極形状調整層１１と、ＩＴＯ等の透光性導電材料からなる電極１２と、ポリイミド等からなる配向膜１３とを順に備えている。一方、基板２０は、石英やガラス等の透光性の基板本体２０Ａの内面側に、ＩＴＯ等の透光性導電材料からなる電極２１と、ポリイミド等からなる配向膜２２とを順に備えている。ストライプ状に形成された各電極１２，２１及び電圧形状調整層１１の延在方向や配向膜１３，２２の配向処理方向（ラビング方向）については上記第１実施形態と同様である。
【００２５】
カラーフィルタ１５には、表示領域を構成する各ドットに対応してＲ，Ｇ，Ｂの着色層１５Ｒ，１５Ｇ，１５Ｂがストライプ状に配列形成されており、各着色層の上にそれぞれ電極形状調整層１１と電極１２とが順に形成されている。隣接する着色層はその端部が一部重なる状態で配置されており、この着色層同士が重なった部分によって遮光層１５Ｓが形成されている。
【００２６】
電極形状調整層１１は、そのラビングの出射側である右側の端部（第２の端部）１１ｂがこの遮光層１５Ｓに一部掛かった状態で配置されており、これにより、電極形状調整層１１の第２の端部１１ｂには、この着色層同士の重なりによる凹凸形状を反映した傾斜面が形成されている。一方、電極形状調整層１１の、ラビングの入射側である左側の端部（第１の端部）１１ａには、その中央部から当該第１の端部１１ａに向けて、その層厚が薄くなるような傾斜面が形成されている。各電極形状調整層１１では、そのラビングの入射側である左側の端部（第１の端部）１１ａは電極１２の左側の端部（第１の端部）１２ａよりも内側に配置されており、ラビングの出射側である右側の端部（第２の端部）１１ｂは電極１２の右側の端部（第２の端部）１２ｂに対して若干外側に配置されている。すなわち、電極１２はその第１の端部１２ａ及び第２の端部１２ｂが、電極形状調整層１１の第１の端部側及び第２の端部側に形成された傾斜面に一部掛かる形で配置されている。これにより、電極１２の表面には、下層側の電極形状調整層１１の凹凸形状を反映して、その第１の端部１２ａに、基板１０Ａから電極表面までの高さが徐々に低くなる（基板面に近づく）ような傾斜面が形成され、その第２の端部１２ｂに、基板１０Ａから電極表面までの高さが徐々に高くなる（基板面から遠ざかる）ような傾斜面が形成されている。
【００２７】
次に、図５を参照しながら、本液晶表示装置２の作用について説明する。
まず、本例との対比のために、電極面が平坦に形成された例について説明する（図５（ａ））。この構成では、電極中央部に位置する液晶分子Ｌと電極端部に位置する液晶分子Ｌは略同様な配向状態をとるが、この電極端部をより拡大して観察すると、その液晶分子Ｌの配向状態に乱れが生じていることがある。例えば基板表面に配向膜を形成した場合、この配向膜には下層側の電極端部の段差を反映して傾斜面ができることがある。このような傾斜面ができると、電極中央部では液晶分子Ｌは右側の端部（第２の端部）が左側の端部（第１の端部）に比べて若干浮き上がった状態となるのに対して、電極の第２の端部では液晶の左側の端部が右側の端部に比べて浮き上がった状態となるため、極端な場合、電極の第２の端部では電界と液晶長軸とのなす角βが鈍角（即ち、電界に対して液晶長軸が反時計方向に傾いた状態）となることもある。この場合、電極の第２の端部に位置する液晶分子Ｌは電圧印加によって反時計回りに回転するため、この電極端部の液晶の回転方向と電極中央部の液晶の回転方向とが逆方向となり、これらの間でディスクリネーションが発生してしまう。
これに対して本例（図５（ｂ））のように、電極の第２の端部に、左側から右側に向けて基板から電極表面までの高さが高くなる（基板面から遠ざかる）ようなテーパ面を形成すると、このテーパ面に位置する液晶分子Ｌは、図５（ａ）のものに比べて、その長軸が基板面に対してより平行に近い状態、或いは、液晶長軸が基板に平行な位置から若干時計回りに傾いた状態（即ち、電界と液晶長軸とのなす角βが鋭角）となり、電極端部の液晶は時計回りに回転されやすくなる。
【００２８】
なお、電極の第１の端部における液晶の配向状態については上記第１実施形態と同様であるため、ここでは説明を省略する。
このように本実施形態では、電極中央部と電極の第２の端部の液晶の回転方向が同じ方向となるので、ドットの左側だけでなく、ドットの右側の端部においてもディスクリネーションの発生を防止することができる。
【００２９】
なお、本例では遮光層１５Ｓを隣接する２種類の着色層の重なり部分として形成したが、図６に示すように、各着色層１５Ｒ，１５Ｇ，１５Ｂとは別に黒色樹脂等の遮光材料をパターン形成することで遮光層１５Ｓを形成してもよい。この場合、着色層を遮光層１５Ｓの上に一部重ねて配置し、遮光領域（即ち、ドット間の領域）を厚膜化することで、この上に形成される電極形状調整層１１に対してより大きな凹凸形状を付与する（即ち、電極１２の第２の端部により大きな傾斜面を形成する）ことができる。勿論、着色層を遮光層１５Ｓに重ねずに、単に遮光層１５Ｓを厚膜に形成するのみでも同様の効果は得られる。
【００３０】
［電子機器］
次に、上記実施の形態の液晶表示装置を備えた電子機器の具体例について説明する。
図７は、携帯電話の一例を示した斜視図である。図７において、符号１０００は携帯電話本体を示し、符号１００１は上記液晶表示装置を用いた表示部を示している。
本例の電子機器は表示部に上記液晶表示装置を備えているので、ディスクリネーションのない高品質な表示が可能な電子機器を提供することができる。
【００３１】
なお、本発明は上述の実施形態に限定されるものではなく、本発明の趣旨を逸脱しない範囲で種々変形して実施することができる。
例えば、上記実施形態では、基板のラビング方向（即ち、液晶の配向方向）をその電極に対して斜め方向（上記例では、３０°をなす方向）に規定したが、このラビング方向は電極に対して直交する方向（即ち、上基板１０のラビング方向が電極１２の園児方向と直交する方向で、且つ、下基板２０のラビング方向が電極２１の延在方向と直交する方向）であってもよい。
【００３２】
また、上記実施形態では、配向膜１３，２２にポリイミド等の有機材料を用い、これにラビング処理を施すことで配向処理したが、基板に配向処理を行なう方法としては、このような有機膜のラビングに限らず、以下に示すような方法によっても同様の配向状態を実現することができる。
（１）斜方蒸着により基板上に無機配向膜を形成する方法
（２）フォトリソグラフィ技術を用いて基板上に無機材料からなる溝構造を形成する方法
（３）基板上に感光性樹脂を形成し、この感光性樹脂に偏光紫外線等を照射することによって一方向の配向を得る方法（光配向処理）
これらの場合でも、液晶の配向方向は上記実施形態と同様に規定される。なお、フォトリソグラフィ技術或いは半導体成膜技術を用いて配向処理を行なった場合には、別途ラビング等の後工程を行なう必要はない。
【００３３】
また、上記実施形態では、一方の基板１０の電極１２にのみテーパ形状を付与したが、他方の基板２０側の電極２１にも同様のテーパ形状を付与することができる。例えば図１に示した第１の実施形態において、基板本体２０Ａと各電極２１との間に、それぞれ自身の膜厚変化によりこの上に形成される電極２１に特定の形状を付与するための電極形状調整層を設け、各電極形状調整層に、当該電極形状調整層の中央部から、ラビングの入射側である左側の端部（配向方向と反対側の第１の端部）に向けて、その層厚が徐々に薄くなるようなテーパ面（傾斜面）を形成してもよい。また第２の実施形態のように、この基板２０側の電極形状調整層に対して、当該電極形状調整層の中央部から、ラビング出射側である右側の端部（配向方向側の第２の端部）に向けて、その基板表面からの高さが徐々に高くなるような傾斜面を設けてもよい。このように上下基板１０，２０の双方に電極形状調整層を設けることで、一層のディスクリネーション抑制効果を期待することができる。
【００３４】
また、上記実施形態では本発明をパッシブマトリクス型の液晶表示装置に適用した例について説明したが、本発明はこれに限定されず、本発明をアクティブマトリクス型の液晶表示装置や単純マトリクス型の液晶表示装置に適用することも可能である。例えば本発明をアクティブマトリクス型の液晶表示装置に適用した場合には、図８に示すように、マトリクス状に配列形成された各画素電極のラビング入射側である左側の端辺（即ち、配向方向と反対側の第１の端部）、及び、それに隣接する端辺にテーパ状の傾斜面を形成する。なお、図８ではテーパの形成された部分を斜線で示している。
【００３５】
また、上述した例において示した各構成部材の諸形状や組み合わせ等は一例であって、このような形状等は設計要求等に基づき種々変更可能である。
【図面の簡単な説明】
【００３６】
【図１】本発明の第１実施形態に係る液晶表示装置の断面構造及び平面構造を示す模式図。
【図２】同、液晶表示装置の作用を説明するための模式図。
【図３】同、液晶表示装置において、電極形状調整層の他の構成例を示す図。
【図４】本発明の第２実施形態に係る液晶表示装置の断面構造及び平面構造を示す模式図。
【図５】同、液晶表示装置の作用を説明するための模式図。
【図６】同、液晶表示装置の他の構成例を示す断面模式図。
【図７】本発明の電子機器の一例を示す斜視図。
【図８】本発明をアクティブマトリクス型の構造に適用した場合の電極の構成を示す模式的平面図。
【符号の説明】
【００３７】
１０・・・第１の基板、１１・・・電極形状調整層（樹脂膜）、１１ａ・・・樹脂膜の第１の端部、１１ｂ・・・樹脂膜の第２の端部、１２・・・第１の電極、１２ａ・・・電極の第１の端部、１２ｂ・・・電極の第２の端部、１５・・・カラーフィルタ、１５Ｒ，１５Ｇ，１５Ｂ・・・着色層、１５Ｓ・・・遮光層、２０・・・第２の基板、２１・・・第２の電極、３０・・・液晶層、１０００・・・電子機器、Ｌ・・・液晶分子
【図１】
2005172929.tif 000003
【図２】
2005172929.tif 000004
【図３】
2005172929.tif 000005
【図４】
2005172929.tif 000006
【図５】
2005172929.tif 000007
【図６】
2005172929.tif 000008
【図７】
2005172929.tif 000009
【図８】
2005172929.tif 000010